(57)【要約】【課題】機器取付装置の取付け位置における保持性及び耐振動性の向上を図る。【解決手段】機器取付装置１は、頭頂に開口部１１を有するドーム状の球面部１２を備えてなる台座１０と、下端部が開放され、当該下端部において球面部１２の外面と摺動自在に当接する有底円筒状の機器取付部材２０と、機器取付部材２０に球面部１２を挟んで対向配置され、該球面部１２の内面と当接する略円板状の固定板３０と、開口部１１に遊挿されて機器取付部材２０と固定板３０とを締結可能に連結する連結ねじ４０と、を備えている。そして、固定板３０を略円板状の金属板としたことにより、弾性による締め付け効果の向上が図られる。【選択図】図１
2008267564.tif 000002
【特許請求の範囲】
【請求項１】
頭頂に開口部を有し、底部が開放された球面部を備えてなる台座と、
下端部が開放され、当該下端部において前記球面部の外面と当接する当接部を有する有底円筒状の機器取付部材と、
前記機器取付部材に前記球面部を挟んで対向配置され、端部が該球面部の内面と当接する略円板状の固定板と、
前記開口部に遊挿されて前記機器取付部材と固定板とを締結可能に連結する連結部材と、を備え、
前記台座は、その球面部の内面に、前記固定板と係合し緯線方向に沿う横溝部又は段部からなる複数の凹凸部と前記固定板の回転を防止する経線方向に沿う回転止め部とを有し、
前記固定板は、その周縁部に前記球面部の内面と接する３個以上の突起部を備えた金属板であり、
前記固定板の外径と機器取付部材の内径とが略同径とされ、
前記連結部材は、一端に前記固定板の脱落を防止するストッパを有することを特徴とする機器取付装置。
【請求項２】
頭頂に開口部を有し、底部が開放された球面部を備えてなる台座と、
下端部が開放され、当該下端部において前記球面部の外面と当接する当接部を有する機器取付部材と、
前記機器取付部材に前記球面部を挟んで対向配置され、端部が該球面部の内面と当接する略円板状の固定板と、
前記開口部に遊挿されて前記機器取付部材と固定板とを締結可能に連結する連結部材と、
を備えることを特徴とする機器取付装置。
【請求項３】
請求項２に記載の機器取付装置において、
前記台座は、その球面部内面に、前記固定板と係合し緯線方向に沿う横溝部又は段部からなる複数の凹凸部を備えることを特徴とする機器取付装置。
【請求項４】
請求項２又は請求項３に記載の機器取付装置において、
前記固定板は、その周縁部に前記球面部の内面と接する複数の突起部を備えることを特徴とする機器取付装置。
【請求項５】
請求項２〜４の何れか一項に記載の機器取付装置において、
前記固定板は、金属板であることを特徴とする機器取付装置。
【請求項６】
請求項２〜５の何れか一項に記載の機器取付装置において、
前記固定板の外径と機器取付部材の内径とが略同径とされていることを特徴とする機器取付装置。
【請求項７】
請求項２〜６の何れか一項に記載の機器取付装置において、
前記連結部材は、一端に前記固定板の脱落を防止するストッパを有することを特徴とする機器取付装置。
【請求項８】
請求項２〜７の何れか一項に記載の機器取付装置において、
前記台座は、その球面部の内面に、前記固定板の回転を防止する経線方向に沿う回転止め部を有することを特徴とする機器取付装置。
【発明の詳細な説明】
【技術分野】
【０００１】
本発明は、機器取付装置に関する。
【背景技術】
【０００２】
従来、車載用テレビモニタ等の各種機器を車両のダッシュボード上に搭載する機器取付装置にあっては、例えば、各種の機器を搭載する機器取付け用の機器取付部材と、この機器取付部材を角度調節可能に支持する球面状の支持部を有する台座とを備えた機器取付装置が知られている（例えば、特許文献１参照）。また、台座の球面部を、機器取付部材と固定部材とで表側と裏側から挟んで連結ねじで締結する構成とした機器取付装置も知られている（例えば、特許文献２〜３参照）。
【０００３】
これらの機器取付装置は、所望の取付け角度に調節する必要があると共に、取付け後においては走行中の振動等による取付け角度の変動を防止するため確実に固定する必要がある。
【特許文献１】特開２００１−２３９８９６号公報
【特許文献２】特開２００４−２１６９７３号公報
【特許文献３】特開２００４−１９７８４９号公報
【発明の開示】
【発明が解決しようとする課題】
【０００４】
しかしながら、上記特許文献１に開示される機器取付装置にあっては、機器取付部材を台座に固定するための摩擦力を作用させる箇所が、台座の上面と機器取付部材の下面との接触面しかなく、台座に対する機器取付部材の固定力が不十分であるという問題があった。
また、上記特許文献２及び特許文献３に開示される機器取付装置にあっては、機器取付部材と協働して台座を挟む固定部材が、台座の球面部の裏面に球面接触するため、締め付け力が分散されて実際の摩擦力が低下する虞がある。また、球面全体が接触するように合致させることは、当接面積が広くなるほど困難であり、実際に当接する箇所と当接しない箇所がある場合には取付けが不安定となる。その結果、走行中の振動等によって締結が緩み、取付角度が変動する虞があるという問題があった。
【０００５】
本発明の課題は、機器取付装置の取付け位置における保持性及び耐振動性を向上させることにある。
【課題を解決するための手段】
【０００６】
上記課題を解決するために、請求項１に記載の発明は、機器取付装置において、
頭頂に開口部を有し、底部が開放された球面部を備えてなる台座と、
下端部が開放され、当該下端部において前記球面部の外面と当接する当接部を有する有底円筒状の機器取付部材と、
前記機器取付部材に前記球面部を挟んで対向配置され、端部が該球面部の内面と当接する略円板状の固定板と、
前記開口部に遊挿されて前記機器取付部材と固定板とを締結可能に連結する連結部材と、を備え、
前記台座は、その球面部の内面に、前記固定板と係合し緯線方向に沿う横溝部又は段部からなる複数の凹凸部と前記固定板の回転を防止する経線方向に沿う回転止め部とを有し、
前記固定板は、その周縁部に前記球面部の内面と接する３個以上の突起部を備えた金属板であり、
前記固定板の外径と機器取付部材の内径とが略同径とされ、
前記連結部材は、一端に前記固定板の脱落を防止するストッパを有することを特徴とする。
【０００７】
請求項２に記載の発明は、機器取付装置において、
頭頂に開口部を有し、底部が開放された球面部を備えてなる台座と、
下端部が開放され、当該下端部において前記球面部の外面と当接する当接部を有する機器取付部材と、
前記機器取付部材に前記球面部を挟んで対向配置され、端部が該球面部の内面と当接する略円板状の固定板と、
前記開口部に遊挿されて前記機器取付部材と固定板とを締結可能に連結する連結部材と、を備えることを特徴とする。
【０００８】
請求項３に記載の発明は、
請求項２に記載の機器取付装置において、前記台座は、その球面部内面に、前記固定板と係合し緯線方向に沿う横溝部又は段部からなる複数の凹凸部を備えることを特徴とする。
【０００９】
請求項４に記載の発明は、
請求項２又は請求項３に記載の機器取付装置において、前記固定板は、その周縁部に前記球面部の内面と接する複数の突起部を備えることを特徴とする。
【００１０】
請求項５に記載の発明は、
請求項２〜４の何れか一項に記載の機器取付装置において、前記固定板は、金属板であることを特徴とする。
【００１１】
請求項６に記載の発明は、
請求項２〜５の何れか一項に記載の機器取付装置において、前記固定板の外径と機器取付部材の内径とが略同径とされていることを特徴とする。
【００１２】
請求項７に記載の発明は、
請求項２〜６の何れか一項に記載の機器取付装置において、前記連結部材は、一端に前記固定板の脱落を防止するストッパを有することを特徴とする。
【００１３】
請求項８に記載の発明は、
請求項２〜７の何れか一項に記載の機器取付装置において、前記台座は、その球面部の内面に、前記固定板の回転を防止する経線方向に沿う回転止め部を有することを特徴とする。
【発明の効果】
【００１４】
請求項１に記載の発明によれば、球面部の外側に配置される機器取付部材と球面部の内側に配置される固定板とを連結部材で締結することにより、機器取付部材が台座の球面部に固定される。その際、連結部材が球面部頭頂の開口部に遊挿されていることにより、球面部に対して機器取付部材を任意の取付角度に取り付けることができる。特に、球面部の内側に配置される固定板を略円板状としたことにより、この固定板と機器取付部材とを連結部材で締結する際に、球面部の内面に固定板の端縁を合致させることができる。従って、連結部材を介して機器取付部材と固定板とを球面部に対して確実に取り付けることができるため、例えば、振動等による機器取付部材と球面部との取付角度の変動を効果的に防止して機器取付装置の取付け位置における保持性及び耐振動性を向上させることができる。
【００１５】
また、台座における球面部の内面に、固定板と係合し緯線方向に沿う横溝部又は段部からなる凹凸部を設けたことにより、球面部の内側における当該球面部の経線方向に沿う固定板のずれを防止することができる。また、固定板の周縁部に３個以上の突起部を設けたことにより、連結部材を締結した際に、球面部の内側ではこれらの突起部が球面部の内面に当接することとなる。つまり、球面部の内面に対する固定板の当接圧を増加させることができるため、該球面部内面に対する固定板のずれを、一層効果的に防止することができる。その結果、連結部材締結後における球面部の外面に対する機器取付部材の位置ずれを防止することができる。
【００１６】
また、固定板を金属板としたことにより、当該固定板の弾性によって連結部材による締結効果が向上する。従って、連結部材締結後における球面部に対する固定板及び機器取付部材の取付角度の変動を、より一層効果的に防止することができる。また、固定板の外径と機器取付部材の内径とを略同径としたことにより、これら固定板と機器取付部材とを連結部材で締結する際に、球面部のほぼ同じ位置を外面側（表側）と内面側（裏側）から挟持することができる。つまり、締結時に、機器取付部材と固定板とが球面部の外面側と内面側とで離れた位置に当接することによる、球面部へのせん断応力の発生を防止することができる。これにより、連結部材を締結する際の締結力をより強力とすることができるため、締結後における球面部に対する機器取付部材の位置ずれをさらに効果的に防止することができる。
【００１７】
また、連結部材の一端に、固定板の脱落を防止するストッパを設けたことにより、固定板と機器取付部材とを連結部材で締結する際の締結不良を防止することができる。従って、連結部材締結後における球面部に対する機器取付部材の位置ずれを、一層効果的に防止することができる。また、台座における球面部の内面に、該球面部の経線方向に沿って回転止め部を設けたことにより、連結部材締結時及び締結後における固定板の緯線方向への回転を防止することができる。これにより、球面部に対する機器取付部材のずれを防止することができる他、例えば、機器取付部材と固定板とを締結可能に連結する連結部材としてねじを採用した場合には、固定板の回転を防止することができるため、球面部の外側からの締結動作又は開放動作を容易に実行することができる。
【００１８】
請求項２に記載の発明によれば、球面部の外側に配置される機器取付部材と球面部の内側に配置される固定板とを連結部材で連結（締結）することにより、機器取付部材が台座の球面部に固定される。その際、連結部材が球面部頭頂の開口部に遊挿されていることにより、球面部に対して機器取付部材を任意の取付角度に取り付けることができる。特に、球面部の内側に配置される固定板を略円板状としたことにより、この固定板と機器取付部材とを連結部材で締結する際に、球面部の内面に固定板の端縁を合致させることができる。従って、連結部材を介して機器取付部材と固定板とを球面部に対して確実に取り付けることができるため、例えば、振動等による機器取付部材と球面部との取付角度の変動を効果的に防止することができ、機器取付装置の取付け位置における保持性及び耐振動性を向上することができる。
【００１９】
請求項３に記載の発明によれば、請求項２に記載の発明と同様の効果が得られることは無論のこと、特に、台座における球面部の内面に、固定板と係合し緯線方向に沿う横溝部又は段部からなる凹凸部を設けたことにより、球面部内側における当該球面部の経線方向に沿う固定板のずれを防止することができる。従って、連結部材締結後における球面部に対する機器取付部材の取付角度の変動を効果的に防止することができる。
【００２０】
請求項４に記載の発明によれば、請求項２又は３に記載の発明と同様の効果が得られることは無論のこと、特に、固定板の周縁部に複数の突起部を設けたことにより、連結部材を締結した際に、球面部の内側ではこれらの突起部が球面部の内面に当接することとなる。つまり、球面部の内面に対する固定板の当接圧を増加させることができるため、該球面部内面に対する固定板のずれをより一層効果的に防止することができる。また、その結果として、連結部材締結後における球面部の外面に対する機器取付部材の位置ずれを防止することができる。
【００２１】
請求項５に記載の発明によれば、請求項２〜４の何れか一項に記載の発明と同様の効果が得られることは無論のこと、特に、固定板を金属板としたことにより、該金属板からなる固定板の弾性により、連結部材による締結効果が向上する。従って、連結部材締結後における球面部に対する固定板及び機器取付部材の取付角度の変動をより一層効果的に防止することができる。
【００２２】
請求項６に記載の発明によれば、請求項２〜５の何れか一項に記載の発明と同様の効果が得られることは無論のこと、特に、固定板の外径と機器取付部材の内径とを略同径としたことにより、これら固定板と機器取付部材とを連結部材で締結する際に、球面部のほぼ同じ位置を外面側（表側）と内面側（裏側）から挟持することができる。つまり、締結時に、機器取付部材と固定板とが、球面部の外面側と内面側とで離れた位置に当接することによる、球面部へのせん断応力の発生を防止することができる。これにより、連結部材を締結する際の締結力をより強力とすることができるため、締結後における球面部に対する機器取付部材の位置ずれをさらに効果的に防止することができる。
【００２３】
請求項７に記載の発明によれば、請求項２〜６の何れか一項に記載の発明と同様の効果が得られることは無論のこと、特に、連結部材の一端に、固定板の脱落を防止するストッパを設けたことにより、固定板と機器取付部材とを連結部材で締結する際の締結不良を防止することができる。従って、連結部材締結後における球面部に対する機器取付部材の位置ずれを、一層効果的に防止することができる。
【００２４】
請求項８に記載の発明によれば、請求項２〜７の何れか一項に記載の発明と同様の効果が得られることは無論のこと、特に、台座における球面部の内面に、該球面部の経線方向に沿って回転止め部を設けたことにより、連結部材締結時及び締結後における固定板の緯線方向への回転を防止することができる。これにより、球面部に対する機器取付部材のずれを防止することができる他、例えば、機器取付部材と固定板とを締結可能に連結する連結部材としてねじを採用した場合には、固定板の回転を防止することができるため、球面部の外側からの締結動作又は開放動作を容易に実行することができる。
【発明を実施するための最良の形態】
【００２５】
以下、図を参照して、本発明にかかる機器取付装置を実施するための最良の形態を詳細に説明する。なお、発明の範囲は、図示例に限定されない。
【００２６】
＜機器取付装置の構成＞
まず、機器取付装置１の構成について、図１〜図９を参照して説明する。
図１は、本実施形態たる機器取付装置１を組み立てた状態における横断面図であり、図２は、機器取付装置１の分解斜視図である。
図１及び図２に示すように、機器取付装置１は、頭頂に開口部１１を有し、底部が開放された球面部１２を備えてなる台座１０と、下端部が開放され、当該下端部において球面部１２の外面と当接する当接部２１（図６及び図７参照）を有する有底円筒状の機器取付部材２０と、この機器取付部材２０に球面部１２を挟んで対向配置され、該球面部１２の内面と当接する固定部材としての略円板状の固定板３０と、開口部１１に遊挿されて機器取付部材２０と固定板３０とを締結可能に連結する連結部材たる連結ねじ４０と、を備えている。以下、各部を詳細に説明する。
【００２７】
台座１０は、フランジ状の周縁部１３を、例えば、ねじ又は強力粘着両面テープ等によって、例えば、車両のインストルメントパネル等に取り付けられる。
かかる台座１０には、例えば、図２〜４に示すように、ドーム状に形成された球面部１２の外面に、複数の凹凸部、すなわち、経線方向に沿う複数の縦溝部１４が設けられている。この縦溝部１４は、球面部１２の周方向の全体に渡ってほぼ等間隔に設けられている。
一方、図４及び図５に示すように、球面部１２の内面には、例えば、緯線方向に沿う横溝部からなる複数の凹凸部１６と、固定板３０の回転を防止する経線方向に沿う回転止め部１５とが設けられている。凹凸部１６は、球面部１２の内面において緯線方向の全体に渡り一周するように設けられており、これらの凹凸部１６が球面部１２の内面の経線方向の全体に渡って複数設けられている。また、回転止め部１５は、本実施形態では球面部１２の内面の経線方向に沿って一本設けられている（図４及び図５参照）。なお、本実施形態における台座１０は、例えば、樹脂等によって形成されている
【００２８】
機器取付部材２０は、例えば、図１及び図２に示すように、下端部が開放されると共に上端部に底部（上底部）を有しており、この上底部には、例えば、車載用のテレビモニタ２や経路誘導機などの各種の機器が取り付けられるようになっている（図１参照）。
かかる機器取付部材２０の下端部には、球面部１２の外面と面接触する曲面からなる当接部２１が形成されている。この当接部２１は、図６又は図７に示すように、略円筒状に形成された当該機器取付部材２０の下端部の内周縁側を切り落としてなる面取り部に、縦溝部１４と嵌合する複数の突起部２２を設けて構成されている。
具体的に、当接部２１は、例えば、図８に示すように、その下端部の内周縁側が、球面部１２の外面と同一の曲率を有する球面状に形成されており、例えば、図１、図８及び図９に示すように、機器取付部材２０が台座１０に取り付けられた状態において、球面部１２の外面と合致して当該球面部１２外面との密着性の向上が図られた形状となっている。
また、突起部２２は、球面部１２に設けられた縦溝部１４の凹部と嵌合するように、球面状に形成された当接部２１における当該球面の経線方向に沿って設けられると共に、突起部２２自体の幅が複数の縦溝部１４の間隔よりも狭くなっている。本実施形態では、かかる突起部２２が当接部２１の周方向の全体に渡りほぼ等間隔で均等に設けられている。
【００２９】
固定板３０は、例えば、図１、図２及び図８に示すように、弾性を有する略円板状の金属板からなり、その周縁部には球面部１２の内面と接する３個（複数）の突起部３１を備えている。また、固定板３０の外径すなわち突起部３１の外径は、上記機器取付部材２０の内径と略同径となっている（図１、図２及び図８参照）。
【００３０】
連結ねじ４０は、例えば、上端にねじ頭部を有し、下端（一端）には固定板３０の脱落を防止するストッパとしてのボルト４１が設けられている。
この連結ねじ４０は、図１及び図２に示すように、機器取付部材２０と、台座１０と、固定板３０とを、当該記載順に貫通し、下端部にボルト４１が螺合される。具体的に、連結ねじ４０は、機器取付部材２０の上底部中央に設けられたねじ穴２３に緩挿されると共に、台座１０の頭頂に設けられた開口部１１内に遊挿され、さらに、固定板３０の中央部に設けられたねじ穴３２に螺合されるようになっている。
【００３１】
＜作用＞
次に、本実施形態たる機器取付装置１の組み付け動作について説明する。
機器取付装置１を、例えば、車両等に組み付ける際には、まず、連結ねじ４０を、機器取付部材２０のねじ穴２３及び台座１０の開口部１１に挿通し、先端（下端）が固定板３０のねじ穴３２を貫通するように螺合させる。そして、連結ねじ４０の先端（下端）にナット４１を螺合させる。
この状態で、台座１０を、例えば、ねじ又は強力粘着両面テープ等により、例えば、車両のインストルメントパネル等に取り付ける。
次に、機器取付部材２０を、球面部１２におけるユーザ所望の位置に配置する（図９参照）。そして、ドライバー等により、ねじ頭部を締め付けて機器取付部材２０と固定板３０とで球面部１２を挟持するように締結していく。
このとき、球面部１２の内側においては、固定板３０周縁部の突起部３１のうち何れか一つが回転止め部１５と係合することにより、連結ねじ４０の締め付け（回転）に伴う固定板３０の回転が防止される。従って、球面部１２を挟んで機器取付部材２０と固定板３０との距離が徐々に接近し、両者が締結されていく。そして、突起部３１が、球面部１２内面の凹凸部１６にそれぞれ嵌合して位置決めされることとなる。
一方、球面部１２の外面においては、機器取付部材２０の当接部２１が該外面に当接（圧接）されると共に、該当接部２１に設けられた突起部２２が球面部１２の縦溝部１４の隙間に嵌合して位置決めされることとなる。
本実施形態では、固定板３０を金属板としたことにより、さらに連結ねじ４０を締め付けることで、機器取付部材２０と固定板３０とが一層強力に締結されることとなる。
また、機器取付部材２０と固定板３０とをほぼ同径としたことにより、球面部１２の同じ部分を該球面部１２の外周側（表側）と内周側（裏側）から挟持することとなる。従って、球面部１２にはせん断応力を生じることがなく、強力に締め付けることが可能となる。
そして、機器取付部材２０の取付位置を変更する場合は、連結ねじ４０を緩めて上記と同様の動作を行うことにより、ユーザ所望の位置に移動させて固定することが可能となる。
【００３２】
＜実施形態の効果＞
以上説明した本発明の機器取付装置１によれば、球面部１２の外周側に配置される機器取付部材２０と球面部１２の内側に配置される固定板３０とを連結ねじ４０で締結することにより、機器取付部材２０を台座１０の球面部１２に固定することができる。その際、連結ねじ４０が球面部１２頭頂の開口部１１に遊挿されていることにより、球面部１２に対して機器取付部材２０を任意の取付角度に取付ることができる。
【００３３】
特に、機器取付部材２０は、その下端の当接部２１において台座１０の球面部１２の外面に当接するため、例えば、機器取付部材２０の下端部が球面とされて台座１０の球面部１２と球面接触する従来の機器取付装置と比較して、球面部１２の外面に対する機器取付部材２０の当接圧を向上させることができる。従って、連結ねじ４０締結後における球面部１２に対する機器取付部材２０の取付角度の変動を防止することができる。
【００３４】
また、機器取付部材２０の下端に設けた当接部２１を、球面部１２の外面と同一の曲率からなる曲面とし、該球面部１２の外面と面接触する構成としたことにより、機器取付部材２０と球面部１２との定着性（密着性）を向上させることができる。特に、球面部１２と当接する当接部２１の面積は、例えば、機器取付部材の下端が球面状とされた従来の機器取付装置に比べて、少なくできるので、加工精度が要求される面積部分が少なくなることとなって、より容易に製造できる。
【００３５】
さらに、球面部１２の外面に経線方向に沿う縦溝部１４を設けると共に、機器取付部材２０の下端の当接部２１に前記縦溝部１４と嵌合する突起部２２を設けたことにより、取付後における機器取付部材２０と球面部１２との位置ずれを効果的に防止することができる。従って、例えば振動等による機器取付部材２０と球面部１２との取付角度の変動を効果的に防止することができる。
【００３６】
さらに、球面部１２の内側に配置される固定板３０を略円板状とし、該固定板３０の周縁部に３個の突起部３１を設けたことにより、連結ねじ４０を締結した際に、球面部１２の内面にこれら３個の突起部３１を当接させることができる。つまり、球面部１２の内面に対する固定板３０の当接圧を増加させることができるため、該球面部１２内面に対する固定板３０のずれを効果的に防止することができる。その結果、連結ねじ４０締結後における球面部１２の外面に対する機器取付部材２０の位置ずれを防止することができる。
【００３７】
また、固定板３０を金属板としたことにより、該固定板３０の弾性により、連結ねじ４０による締結効果を向上させることができる。従って、連結ねじ４０締結後における球面部１２に対する固定板３０及び機器取付部材２０の取付角度の変動をより一層効果的に防止することができる。
【００３８】
また、台座１０における球面部１２の内面に、緯線方向に沿う横溝部からなる凹凸部１６を設けたことにより、球面部１２内側における当該球面部１２の経線方向に沿う固定板３０のずれを防止することができる。
【００３９】
また、台座１０における球面部１２の内面に、該球面部１２の経線方向に沿って回転止め部１５を設けたことにより、連結ねじ４０締結時及び締結後における固定板３０の緯線方向への回転を防止することができる。これにより、球面部１２に対する機器取付部材２０のずれを防止することができる他、機器取付部材２０と固定板３０とを締結する際に、固定板３０の回転を防止することができるため、球面部１２の外側からの締結動作又は開放動作を容易に実行することができる。
【００４０】
また、固定板３０の外径と機器取付部材２０の内径とを略同径としたことにより、これら機器取付部材２０と固定板３０とを連結ねじ４０で締結する際に、球面部１２のほぼ同じ位置を外面側（表側）と内面側（裏側）から挟持することができる。つまり、締結時に、機器取付部材２０と固定板３０とが、球面部１２の外面側と内面側とのそれぞれ異なる位置に当接することによる、球面部１２へのせん断応力の発生を防止することができる。これにより、連結ねじ４０を締結する際の締結力をより強力とすることができるため、締結後における球面部１２に対する機器取付部材２０の位置ずれをさらに効果的に防止することができる。
【００４１】
また、連結ねじ４０の一端に、固定板３０の脱落を防止するナット４１を設けたことにより、固定板３０と機器取付部材２０とを連結ねじ４０で締結する際の締結不良を防止することができる。従って、連結ねじ４０締結後における球面部１２に対する機器取付部材２０の位置ずれを、一層効果的に防止することができる。
【００４２】
また、固定板３０を略円形の平板としたことにより、安価で容易に形成することができるため、コストを低減することができる。
【００４３】
（その他）
なお、本実施形態では球面部１２の外面に複数の縦溝部１４を設けることとしたが、例えば、縦溝部１４は、球面部１２の外周に少なくとも１本以上設けることで、所定の効果を得ることができる。
【００４４】
また、縦溝部１４や凹凸部１６は、図１０に示すように、例えば、半球状、多角錘或いは多角柱状等の凹凸部１４ａ、１６ａであってもよいし、例えば、皮革模様や木目模様等のシボであってもよい。
【００４５】
また、球面部１２は、本実施形態では樹脂より形成しているが、例えば、硬質ゴム等から形成してもよい。
【００４６】
また、凹凸部１６は、本実施形態では複数の横溝部から構成しているが、例えば、図１１に示すように、球面部１２の緯線方向に沿う複数の階段状の段部１６ｂから構成してもよい。
【００４７】
また、球面部１２の内面に経線方向に沿って設けられた回転止め部１５は、本実施形態では１本としているが、例えば、２本以上設けてもよい。
【００４８】
また、本実施形態では、機器取付部材２０の当接部２１に設けた突起部２２を、縦溝部１４に沿うように、球面の経線方向に沿う縦長な形状としているが、例えば、図１２に示すように、半球状、円錐状又は多角錐状等の凹凸部２２ａであってもよい。この場合、各凹凸部２２ａの大きさを、縦溝部１４の間隔よりも小径とすることが望ましい。このようにすれば、縦溝部１４に対して機器取付部材２０を容易に合致させることができるため、連結ねじ４０締結後における位置ずれを効果的に防止することができる。
【００４９】
また、当接部２１は、本実施形態では、球状部１２の外面と同一の曲率を有する球面状の曲面としたが、例えば、少なくとも一部において球面部１２の外面と面接触する円錐状であってもよい。
【００５０】
また、固定板３０の周縁部に設けた突起部３１は、３個以上としてもよい。この場合、球面部１２の内面に緯線方向に沿って設けられた凹凸部１６や、球面部１２の内面に経線方向に沿って設けられた回転止め部１５の何れとも嵌合し易いように、本実施形態のように３個、或いは、４個程度であることが望ましい。
【００５１】
また、固定板３０脱落防止用のナット４１は、例えば、Ｅリング等であってもよい。
【図面の簡単な説明】
【００５２】
【図１】本発明に係る機器取付装置の構成を示す横断面図である。
【図２】本発明に係る機器取付装置の構成を示す分解斜視図である。
【図３】本発明における台座の形状を示す側面図である。
【図４】本発明における台座の形状を示す斜視図である。
【図５】本発明における台座の形状を示す下面図である。
【図６】本発明における取付部材の構成を示す横断面図である。
【図７】本発明における取付部材の形状を示す斜視図である。
【図８】図１におけるＡ部を示す拡大図である。
【図９】本発明に係る機器取付装置の組み付け状態を示す説明図である。
【図１０】本発明に係る機器取付装置の変形例を示す概略図である。
【図１１】本発明に係る機器取付装置の変形例を示す概略図である。
【図１２】本発明に係る機器取付装置の変形例を示す概略図である。
【符号の説明】
【００５３】
１  機器取付装置
２  テレビモニタ等
１０  台座
１１  開口部
１２  球面部
１３  周縁部
１４  縦溝部（凹凸部）
１５  回転止め部
１６  凹凸部（横溝部、段部）
２０  取付部材（機器取付部材）
２１  当接部
２２  突起部
２３，３２  ねじ穴
３０  固定板（固定部材）
３１  突起部
４０  連結ねじ（連結部材、締結部材）
４１  ナット（ストッパ）
【図１】
2008267564.tif 000003
【図２】
2008267564.tif 000004
【図３】
2008267564.tif 000005
【図４】
2008267564.tif 000006
【図５】
2008267564.tif 000007
【図６】
2008267564.tif 000008
【図７】
2008267564.tif 000009
【図８】
2008267564.tif 000010
【図９】
2008267564.tif 000011
【図１０】
2008267564.tif 000012
【図１１】
2008267564.tif 000013
【図１２】
2008267564.tif 000014